(57)【要約】【課題】複数の電池の使用状況を表示すること。【解決手段】電池情報取得部１０４ａは、複数の電池のうち、どの電池から電力の供給を受けているかを検出し、複数の電池のそれぞれの電池残量を検出する。電池情報表示部１０４ｂは、それぞれの検出結果をモニタ１０６に表示する。【選択図】図１
2009038612.tif 000002
【特許請求の範囲】
【請求項１】
複数の電池のうち、どの電池から電力の供給を受けているかを検出する電力供給元検出手段と、
前記複数の電池のそれぞれの電池残量を検出する電池残量検出手段と、
前記電力供給元検出手段による検出結果、および前記電池残量検出結果による検出結果を表示装置に表示する表示制御手段とを備えることを特徴とするカメラ。
【請求項２】
請求項１に記載のカメラにおいて、
前記表示制御手段は、前記複数の電池のそれぞれの電池残量を図形、および数値の少なくともいずれか一方を用いて表示することを特徴とするカメラ。
【請求項３】
請求項２に記載のカメラにおいて、
前記電池残量検出手段は、前記複数の電池のそれぞれの電池の総容量を検出し、
前記表示制御手段は、前記電池残量を図形で表す場合には、前記複数の電池のそれぞれに対応する複数の領域を表示し、１つの領域の全範囲を対応する電池の総容量とした場合に、その領域内の前記電池残量に応じた範囲に色を付すことによって、各電池の総容量に対する残量を示すことを特徴とするカメラ。
【請求項４】
請求項３に記載のカメラにおいて、
前記表示制御手段は、前記複数の電池のそれぞれに対応する領域の面積が、前記複数の電池のそれぞれの総容量に比例した面積となるように、各領域を表示することを特徴とするカメラ。
【請求項５】
請求項３または４に記載のカメラにおいて、
前記表示制御手段は、前記複数の電池のそれぞれに対応する領域、および前記電池残量を示す数値の少なくともいずれか一方の表示形態を変化させることによって、前記複数の電池のうち、どの電池から電力の供給を受けているかを示すことを特徴とするカメラ。
【請求項６】
請求項５に記載のカメラにおいて、
前記表示制御手段は、電力の供給を受けている電池に対応する前記領域内に付す色と該領域外の色とのコントラストより、電力の供給を受けていない電池に対応する前記領域内に付す色と該領域外の色とのコントラストを低くすることを特徴とするカメラ。
【請求項７】
請求項５に記載のカメラにおいて、
前記表示制御手段は、電力の供給を受けている電池については、その電池に対応する前記領域を点滅させて表示することを特徴とするカメラ。
【請求項８】
請求項５に記載のカメラにおいて、
前記表示制御手段は、電力の供給を受けている電池については、その電池に対応する前記領域と前記電池残量を示す数値とを表示し、電力の供給を受けていない電池については、その電池に対応する前記領域のみを表示することを特徴とするカメラ。
【請求項９】
請求項１に記載のカメラにおいて、
前記複数の電池のぞれぞれの種類を検出する電池種類検出手段をさらに備え、
前記表示制御手段は、前記電池種類検出手段による検出結果に基づいて、前記電池残量検出結果による検出結果の表示方法を変更することを特徴とするカメラ。
【請求項１０】
複数の電池のうち、どの電池から電力の供給を受けているかを検出する電力供給元検出手段と、
前記複数の電池のそれぞれの電池残量を検出する電池残量検出手段と、
前記電力供給元検出手段による検出結果、および前記電池残量検出結果による検出結果を表示装置に表示する表示制御手段とを備えることを特徴とする電子機器。
【発明の詳細な説明】
【技術分野】
【０００１】
本発明は、撮影を行うためのカメラ、および電子機器に関する。
【背景技術】
【０００２】
次のような電子カメラが知られている。この電子カメラは、使用中の電池の電池残量を検出してモニタに表示するに当たって、電池の電池種に応じて電池残量の検出レベルを変更して表示結果に反映する（例えば、特許文献１）。
【０００３】
【特許文献１】特開２００３−４６８３７号公報
【発明の開示】
【発明が解決しようとする課題】
【０００４】
しかしながら、従来の電子カメラは、使用中の電池残量を検出して表示するようにしていたため、カメラに複数の電池を搭載できる場合に、使用中の電池の残量とともに、使用していない電池の残量を表示することはできなかった。
【課題を解決するための手段】
【０００５】
本発明は、複数の電池のうち、どの電池から電力の供給を受けているかを検出し、複数の電池のそれぞれの電池残量を検出し、それぞれの検出結果を表示装置に表示することを特徴とする。
本発明では、複数の電池のそれぞれの電池残量を図形、および数値の少なくともいずれか一方を用いて表示するようにしてもよい。
複数の電池のそれぞれの電池の総容量を検出し、電池残量を図形で表す場合には、複数の電池のそれぞれに対応する複数の領域を表示し、１つの領域の全範囲を対応する電池の総容量とした場合に、その領域内の電池残量に応じた範囲に色を付すことによって、各電池の総容量に対する残量を示すようにしてもよい。
複数の電池のそれぞれに対応する領域の面積が、複数の電池のそれぞれの総容量に比例した面積となるように、各領域を表示するようにしてもよい。
複数の電池のそれぞれに対応する領域、および電池残量を示す数値の少なくともいずれか一方の表示形態を変化させることによって、複数の電池のうち、どの電池から電力の供給を受けているかを示すようにしてもよい。
この場合には、電力の供給を受けている電池に対応する領域内に付す色と該領域外の色とのコントラストより、電力の供給を受けていない電池に対応する領域内に付す色と該領域外の色とのコントラストを低くするようにしてもよく、電力の供給を受けている電池については、その電池に対応する領域を点滅させて表示するようにしてもよい。また、電力の供給を受けている電池については、その電池に対応する領域と電池残量を示す数値とを表示し、電力の供給を受けていない電池については、その電池に対応する領域のみを表示するようにしてもよい。
複数の電池のぞれぞれの種類を検出し、その検出結果に基づいて、電池残量の検出結果の表示方法を変更するようにしてもよい。
【発明の効果】
【０００６】
本発明によれば、使用中の電池の残量とともに、使用していない電池の残量も表示することができる。
【発明を実施するための最良の形態】
【０００７】
図１は、本実施の形態におけるカメラの一実施の形態の構成を示すブロック図である。カメラ１００は、例えばデジタルカメラであって、操作部材１０１と、レンズ１０２と、撮像素子１０３と、制御装置１０４と、メモリカードスロット１０５と、モニタ１０６と、電池ボックス１０７と、バッテリーパック接続部１０８とを備えている。操作部材１０１は、使用者によって操作される種々の入力部材、例えば電源ボタン、レリーズスイッチ、ズームボタン、十字キー、決定ボタン、再生ボタン、削除ボタンなどを含んでいる。
【０００８】
レンズ１０２は、複数の光学レンズから構成されるが、図１では代表して１枚のレンズで表している。撮像素子１０３は、例えばＣＣＤやＣＭＯＳであり、レンズ１０２により結像した被写体像を撮像して画像を取得する。そして、取得した画像データを制御装置１０４へ出力する。制御装置１０４は、撮像素子１０３で取得された画像データを所定の画像形式、例えばＪｐｅｇ形式に圧縮し、Ｅｘｉｆ（Ｅｘｃｈａｎｇｅａｂｌｅ  Ｉｍａｇｅ  Ｆｉｌｅ  Ｆｏｒｍａｔ  ｆｏｒ  Ｄｉｇｉｔａｌ  Ｓｔｉｌｌ  Ｃａｍｅｒａ）等の所定の形式の画像ファイルを生成してメモリカードスロット１０５へ出力する。
【０００９】
メモリカードスロット１０５は、記憶媒体としてのメモリカードを挿入するためのスロットであり、制御装置１０４から出力された画像ファイルをメモリカードに書き込んで記録する。また、制御装置１０４からの指示に基づいて、メモリカード内に記憶されている画像ファイルを読み込む。
【００１０】
モニタ１０６は、カメラ１００の背面に搭載された液晶モニタ（背面モニタ）であり、当該モニタ１０６には、メモリカードに記憶されている画像（再生画像）やカメラ１００を設定するための設定メニューなどの種々の情報が表示される。また、制御装置１０４は、撮像素子１０３から時系列で画像を取得してモニタ１０６に出力する。これによって、モニタ１０６には、各フレームの画像が所定時間間隔で順番に表示される。すなわちモニタ１０６にはスルー画が表示される。
【００１１】
電池ボックス１０７には、カメラ１００を駆動させるための電池１０７ａが挿入される。電池１０７ａは、ＣＰＵ１０７ａ−１、およびバッテリー１０７ａ−２を備えている。ＣＰＵ１０７ａ−１は、バッテリー１０７ａ−２の総容量、および残量を検出して、それぞれに関する情報を制御装置１０４へ出力する。本実施の形態では、バッテリー１０７ａ−２の総容量を電池１０７ａの総容量と呼び、バッテリー１０７ａ−２の残量を電池１０７ａの電池残量と呼ぶ。なお、電池１０７ａの電池残量に関する情報は、バッテリー１０７ａ−２の総容量に対する残量の割合（％）で表される。
【００１２】
バッテリーパック接続部１０８は、外付けの外部電源であるバッテリーパック１０８ａを接続するためのインターフェース部である。例えば、バッテリーパック１０８ａは、カメラ１００の下部にマウントする形で接続が可能になっている。なお、バッテリーパック１０８ａも、ＣＰＵ１０８ａ−１、およびバッテリー１０８ａ−２を備えており、ＣＰＵ１０８ａ−１は、バッテリー１０８ａ−２の総容量、および残量を検出して、それぞれに関する情報を制御装置１０４へ出力する。
【００１３】
本実施の形態では、バッテリー１０８ａ−２の総容量をバッテリーパック１０８ａの総容量と呼び、バッテリー１０８ａ−２の残量をバッテリーパック１０８ａの電池残量と呼ぶ。なお、バッテリーパック１０８ａの電池残量に関する情報は、バッテリー１０８ａ−２の総容量に対する残量の割合（％）で表される。
【００１４】
また、バッテリー１０７ａ−２および１０８ａ−２は、例えばリチウムイオン電池等の２次電池が用いられる。なお、ここで電池の総容量とは、バッテリー１０７ａ−２または１０８ａ−２の満充電容量から、カメラ１００が動作不能となる、または動作停止する容量を引いた容量である。つまり、バッテリー自体の容量の内でカメラ１００で使用可能な容量がカメラ１００に対する電池の総容量である。
【００１５】
よって、本実施の形態におけるカメラ１００において、バッテリー１０７ａ−２または１０８ａ−２の電池残量が０（％）と検出されたとしても、これはカメラ１００を動作させるために必要な容量がなくなったことを意味するものであり、バッテリー１０７ａ−２や１０８ａ−２に蓄えられた電池容量が完全に０になったことを意味するものではない。
【００１６】
カメラ１００は、電池ボックス１０７に挿入された電池１０７ａ、またはバッテリーパック接続部１０８に接続されたバッテリーパック１０８ａのいずれかから電力の供給を受けることによって駆動する。もし、バッテリーパック接続部１０８にバッテリーパック１０８ａが接続されておらず、電池ボックス１０７に電池１０７ａが挿入されている場合には、カメラ１００は、電池１０７ａから電力の供給を受けて駆動する。一方、電池ボックス１０７に電池１０７ａが挿入されておらず、バッテリーパック接続部１０８にバッテリーパック１０８ａが接続されている場合には、カメラ１００は、バッテリーパック１０８ａから電力の供給を受けて駆動する。
【００１７】
また、電池ボックス１０７に電池１０７ａが挿入されており、かつバッテリーパック接続部１０８にもバッテリーパック１０８ａが接続されている場合には、カメラ１００は、電池１０７ａとバッテリーパック１０８ａのいずれか一方から電力の供給を受けて駆動する。このとき、いずれの電池（バッテリー）から電力の供給を受けるかは、使用者が指定するようにしてもよく、制御装置１０４がより電池残量の多い方を自動的に選択するようにしてもよい。以下、本実施の形態では、電池ボックス１０７に電池１０７ａが挿入されており、かつバッテリーパック接続部１０８にもバッテリーパック１０８ａが接続されている場合について説明する。
【００１８】
制御装置１０４は、ＣＰＵ、メモリ、およびその他の周辺回路により構成され、電池情報取得部１０４ａと、電池情報表示部１０４ｂとを機能的に備えている。なお、制御装置１０４を構成するメモリには、動作プログラム等を記憶するＲＯＭ（例えばフラッシュメモリ）や、バッファメモリとして使用されるＲＡＭ（例えばＳＤＲＡＭ）等を含む。
【００１９】
電池情報取得部１０４ａは、電池ボックス１０７から出力される電池１０７ａの総容量に関する情報、および電池残量に関する情報を取得する。また、バッテリーパック接続部１０８から出力されるバッテリーパック１０８ａの総容量に関する情報、および電池残量に関する情報を取得する。すなわち、電池１０７ａ、およびバッテリーパック１０８ａと通信してそれぞれの総容量および電池残量に関する情報を電池情報として取得する。
【００２０】
電池情報表示部１０４ｂは、取得した電池１０７ａの電池情報、およびバッテリーパック１０８ａの電池情報を可視化してモニタ１０６に表示する。なお、モニタ１０６には、上述したように、各種メニュー、再生画像、およびスルー画などのカメラ１００の背面液晶に表示される一般的な情報が表示されるため、電池情報表示部１０４ｂは、これらの情報に重ね合わせて電池情報をする。このとき、表示されている情報の視認性を妨げないように、例えば画面の隅、例えば右上隅に電池情報をする。
【００２１】
図２は、表示装置１０６への電池情報の表示例を示す図である。なお、図２においては、「ＣＡＭＥＲＡ」は電池１０７ａを示し、「Ｂ．Ｐ．」はバッテリーパック１０８ａを示している。電池情報表示部１０４ｂは、モニタ１０６上に電池情報を表示するに当たっては、例えば、図２の各図に示すように、電池１０７ａを模式的に表した図形２ａ、およびバッテリーパック１０８ｂを模式的に表した図形２ｂをそれぞれ表示し、各図形の内部にバーグラフを表示することでそれぞれの電池残量を表す。
【００２２】
すなわち、電池情報取得部１０４ａは、モニタ１０６上に、電池１０７ａおよびバッテリーパック１０８ｂのそれぞれに対応する領域（図形２ａおよび図形２ｂ）を表示し、１つの領域の全範囲を対応する電池の総容量とした場合に、その領域内の電池残量に応じた範囲に色を付すことによって、各電池の総容量に対する残量を示す。
【００２３】
また、電池１０７ａとバッテリーパック１０８ｂのうち、現在、どちらを使用中であるか、すなわちカメラ１００がどちらから電力の供給を受けているかを、図形２ａおよび図形２ｂの表示形態を変更することによって示す。例えば、バーグラフの色と背景色とのコントラストを変更することによって明示する。図２の各図では、現在使用中のバッテリーの残量を示すバーグラフの色を背景色に対するコントラストが高くなる色で表示する。例えば、白の背景色に対して黒色で表示する。一方、使用していないバッテリーの残量を示すバーグラフの色を使用中のバッテリー表示の色よりも背景色に対するコントラストが低くなる色で表示する。例えば、白の背景色に対してグレーで表示する。
【００２４】
例えば、図２（ａ）に示す例においては、カメラ１００は、バーグラフが高コントラスト色表示されている電池１０７ａから電力の供給を受けていることを示している。すなわち、現在は電池１０７ａを使用中であることを示している。そして、バーグラフの長さ、すなわち図形内の色が付された範囲の大きさから、電池１０７ａの電池残量は約５０％であり、バッテリーパック１０８ｂの電池残量は約９０％であることが判断できる。なお、使用者がさらに電池残量を把握しやすくなるように、図２（ｂ）に示すように、電池残量をバーグラフで表すと共に、数値で併記するようにしてもよい。あるいは、図２（ｃ）に示すように、使用中の電池、例えば電池１０７ａのみ数値を併記するようにしてもよい。
【００２５】
また、電池１０７ａとバッテリーパック１０８ａの電池容量が異なる場合には、電池残量がいずれも５０％であったとしても、電池容量が大きい方が残量は多くなる。このような場合、図２（ａ）や図２（ｂ）に示したように、電池１０７ａを模式的に表した図形２ａ、およびバッテリーパック１０８ｂを模式的に表した図形２ｂの大きさを同じにして、その内部に表示するバーグラフの長さで電池残量を示した場合には、使用者は、どちらが電池容量が多く、実際の残量が多いのかを判断できない。
【００２６】
そこで本実施の形態では、電池情報表示部１０４ｂは、取得した電池１０７ａの総容量に関する情報、およびバッテリーパック１０８ａの総容量に関する情報に基づいて、図形２ａおよび図形２ｂの横方向の長さを変更する。すなわち、電池情報表示部１０４ｂは、電池１０７ａとバッテリーパック１０８ａのそれぞれに対応する領域（図形２ａおよび図形２ｂ）の面積が、それぞれの総容量に比例した面積となるように、図形２ａおよび図形２ｂを表示する。これによって、使用者は、電池１０７ａとバッテリーパック１０８ａの電池容量（総容量）の違いを把握することができ、さらに電池１０７ａとバッテリーパック１０８ａの電池残量を相対的に把握することができる。
【００２７】
また、電池残量の図形による相対的な表示と共に、各バッテリーパックの残容量をそれぞれパーセント表示する（図３（ａ）参照）ことにより、２つのバッテリーパックの電池残量の違いを相対的に把握できると共に、各バッテリーパックの残容量も数値で確認できる。
【００２８】
例えば、バッテリーパック１０８ａの電池容量（総容量）が、電池１０７ａの電池容量（総容量）の１．５倍である場合には、電池情報表示部１０４ｂは、図３（ａ）に示すように、図形２ｂの横方向の長さを図形２ａの１．５倍の長さにする。そして、それぞれの図形の内部に、電池残量に応じた長さのバーグラフを表示する。図３（ａ）に示す例では、現在はバッテリーパック１０８ａを使用中であり、例えば、電池１０７ａの電池残量が８０％、バッテリーパック１０８ａの電池残量が３３％である場合を示している。
【００２９】
また、カメラ１００がＡＣアダプタを接続してＡＣ電源で駆動可能な場合には、カメラ１００は、ＡＣ電源で駆動中は電池１０７ａおよびバッテリーパック１０８ａのいずれも使用しない。このため、このような場合には、電池情報表示部１０４ｂは、図３（ｂ）に示すように、図形２ａ内のバーグラフ、および図形２ｂ内のバーグラフのいずれも低コントラスト表示する。また、電池情報表示部１０４ｂは、電池残量が低い場合には、使用者に充電を促すようにバーグラフの表示形態を変更するようにする。図３（ｂ）に示す図形２ｂ内のバーグラフは、使用者に充電を促すための表示例を示している。使用者に充電を促すに当たっては、バーグラフを点滅させるなどしてもよい。
【００３０】
図４は、本実施の形態におけるカメラの処理を示すフローチャートである。図３に示す処理は、カメラ１００の電源がオンされると起動するプログラムとして制御装置１０４によって実行される。
【００３１】
ステップＳ１０において、電池情報取得部１０４ａは、電池ボックス１０７から出力される電池１０７ａの総容量に関する情報、および電池残量に関する情報を取得する。また、バッテリーパック接続部１０８から出力されるバッテリーパック１０８ａの総容量に関する情報、および電池残量に関する情報を取得する。すなわち電池情報を取得する。その後、ステップＳ２０へ進み、電池情報取得部１０４ａは、カメラ１００が電池１０７ａとバッテリーパック１０８ａのどちらから電力の供給を受けて駆動しているかを判定する。すなわち、使用中のバッテリーを判定する。その後、ステップＳ３０へ進む。
【００３２】
ステップＳ３０では、電池情報表示部１０４ｂは、図２および図３で上述したように、モニタ１０６に電池情報とバッテリーの使用状況と残量を表示する。その後、ステップＳ４０へ進み、電池情報取得部１０４ａは、取得した各バッテリーの電池残量に関する情報に基づいて、バッテリーの電池残量が少ないか否かを判断する。肯定判断した場合には、ステップＳ５０へ進み、電池情報表示部１０４ｂは、図３（ｂ）に示したように、バーグラフの表示形態を変更して使用者に充電を促して、ステップＳ６０へ進む。これに対して、否定判断した場合には、そのままステップＳ６０へ進む。
【００３３】
ステップＳ６０では、カメラ１００の電源がオフされたか否かを判断する。否定判断した場合には、ステップＳ１０へ戻って処理を繰り返す。これによって、モニタ１０６には、常に最新のバッテリーの状態が表示される。一方、肯定判断した場合には、処理を終了する。
【００３４】
以上説明した本実施の形態によれば、以下のような作用効果を得ることができる。
（１）電池情報取得部１０４ａは、複数の電池のうち、どの電池から電力の供給を受けているかを検出し、複数の電池のそれぞれの電池残量を検出した。そして、電池情報表示部１０４ｂは、電池情報取得部１０４ａによるモニタ１０６に表示するようにした。これによって、複数の電池が使用可能である場合に、使用中の電池の残量とともに、使用していない電池の残量も表示することができる。
【００３５】
（２）電池情報表示部１０４ｂは、複数の電池のそれぞれの電池残量を図形、および数値の少なくともいずれか一方を用いて表示するようにした。これによって、使用者は図形表示や数値表示によって、それぞれの電池の電池残量を視覚的に把握することができる。
【００３６】
（３）電池情報取得部１０４ａは、電池１０７ａおよびバッテリーパック１０８ｂのそれぞれの電池の総容量も検出し、電池情報表示部１０４ｂは、電池残量を図形で表す場合には、電池１０７ａおよびバッテリーパック１０８ｂのそれぞれに対応する領域をモニタ１０６上に表示し、１つの領域の全範囲を対応する電池の総容量とした場合に、その領域内の電池残量に応じた範囲に色を付すことによってバーグラフを表示して、各電池の総容量に対する残量を示すようにした。これによって、使用者は、各電池の総容量に対する残量を視覚的に把握することができる。
【００３７】
（４）電池情報表示部１０４ｂは、電池１０７ａおよびバッテリーパック１０８ｂのそれぞれに対応する領域の面積が、電池１０７ａおよびバッテリーパック１０８ｂのそれぞれの総容量に比例した面積となるように、各領域を表示するようにした。これによって、電池１０７ａの総容量とバッテリーパック１０８ｂの総容量が異なる場合でも、使用者は、電池１０７ａとバッテリーパック１０８ａの電池容量（総容量）の違いを把握することができ、さらに電池１０７ａとバッテリーパック１０８ａの電池残量を相対的に把握することができる。
【００３８】
（５）電池情報表示部１０４ｂは、電池１０７ａの総容量とバッテリーパック１０８ｂのそれぞれに対応する領域、および電池残量を示す数値の少なくともいずれか一方の表示形態を変化させることによって、電池１０７ａの総容量とバッテリーパック１０８ｂとのいずれから電力の供給を受けているかを示すようにした。これによって、使用者は、現在、どちらのバッテリーを使用中であるかを視覚的に把握することができる。
【００３９】
（６）電池情報表示部１０４ｂは、電力の供給を受けているバッテリーについては、そのバッテリーに対応するバーグラフの色を背景色に対するコントラストが高くなる色で表示した。また、電力の供給を受けていないバッテリーについては、そのバッテリーに対応するバーグラフの色を使用中のバッテリー表示の色よりも背景色に対するコントラストが低くなる色で表示するようにした。これによって、使用者は、背景色に対するバーグラフの色の違いによって、容易にどちらのバッテリーを使用中であるかを把握することができる。
【００４０】
（７）電池情報表示部１０４ｂは、電力の供給を受けているバッテリーについては、そのバッテリーに対応する領域と電池残量を示す数値とを表示し、電力の供給を受けていないバッテリーについては、そのバッテリーに対応する領域のみを表示するようにした。これによって、使用者は、数値表示の有無を判断するだけで、容易にどちらのバッテリーを使用中であるかを把握することができる。
【００４１】
―変形例―
なお、上述した実施の形態のカメラは、以下のように変形することもできる。
（１）上述した実施の形態では、電池情報取得部１０４ａは、電池１０７ａ、およびバッテリーパック１０８ａと通信してそれぞれの総容量を取得する例について説明した。しかしながら、電池情報取得部１０４ａは、電池ボックス１０７に挿入された電池１０７ａの種類、およびバッテリーパック接続部１０８に接続されたバッテリーパックの種類に基づいて、それぞれの総容量を検出するようにしてもよい。すなわち、電池１０７ａの総容量は、電池ボックス１０７に挿入される電池の種類ごとに決まっているため、あらかじめ電池の種類ごとの総容量をメモリに記録しておく。そして、例えば電池ボックス１０７内に電池の種類を検出するためのスイッチを設けておく。具体的には、挿入された電池によって、オンされるスイッチが異なるように、複数のスイッチを設け、電池情報取得部１０４ａは、その中のどのスイッチがオンされたかを検出して、その電池の種類を識別する。電池情報取得部１０４ａは、その電池の種類に応じた電池の総容量をメモリから読み込んで、電池１０７ａの総容量を検出する。また、バッテリーパック１０８ａの総容量も、同様に検出するようにすればよい。
【００４２】
（２）上述した実施の形態では、電池１０７ａとバッテリーパック１０８ｂのうち、現在、どちらを使用中であるかを、背景色とバーグラフの色とのコントラストを変更することによって明示する例について説明した。しかしながら、他の方法で明示するようにしてもよい。例えば、現在使用中のバッテリーを模式的に示した図形を点滅表示したり強調表示するなどしてもよい。これによって、使用者は、図形の表示内容を見るだけで容易にどちらのバッテリーが使用されているかを把握することができる。また、どのような表示方法にするかを使用者が選択できるようにしてもよい。
【００４３】
（３）上述した実施の形態では、バッテリーの電池残量をバーグラフを用いて表示する例について説明した。しかしながら、図３（ｃ）に示すように電池残量を４段階表示するようにしてもよい。すなわち、図形２ａおよび図形２ｂ内を３つの領域に分割し、電池残量が０％のときはいずれの領域も表示しない。そして、電池残量が０％より多く、３０％未満のときは、１番右側の領域のみを表示する。また、電池残量が３０％以上、７０％未満のときは、１番右側と中央の領域を表示する。そして、電池残量が７０％以上のときは、全ての領域を表示するようにする。
【００４４】
また、使用されるバッテリーが単三電池である場合など、バッテリー側に電池情報を制御装置１０４へ出力する機能がない場合には、電池情報取得部１０４ａが電池側からバッテリーの総容量や残量を取得することができない。この場合には、電池情報取得部１０４ａは、電池から出力される電圧値に基づいて電池残量を判定する。また、電池電圧に基づいて電池残量を検出する場合等、詳細な電池残量の検出が難しい場合には、電池残量を２〜１０程度の段階で判定して表示してもよい。４段階表示の場合の表示例を図３（ｃ）に示す。
【００４５】
例えば、電池情報表示部１０４ｂは、使用されるバッテリーがリチウムイオン電池である場合には、バーグラフを用いて電池残量を表すようにし、使用される電池が単三電池である場合には、４段階表示で電池残量を表示するなど、使用する電池の種類に応じて、電池残量の表示方法を変更するようにしてもよい。これによって、電池の種類に応じた最適な表示方法で電池残量を表示できるようになる。なお、電池の種類を識別する方法としては、上記変形例（１）に示した方法を用いればよい。
【００４６】
（４）上述した実施の形態では、カメラ１００は、電池ボックス１０７に挿入される電池１０７ａと、バッテリーパック接続部１０８に接続されるバッテリーパック１０８ａとの２つのバッテリーを電源として使用できる例について説明した。しかしながら、バッテリーを３つ以上使用できるカメラに対しても本発明は適用可能である。使用可能なバッテリーが３つ以上ある場合には、電池情報表示部１０４ｂは、それぞれのバッテリーに対応した図形（図２および図３の図形２ａおよび図形２ｂに相当するもの）をバッテリーの数に応じた数だけモニタ１０６上に表示し、それぞれの電池残量をバーグラフで表示すればよい。
【００４７】
（５）上述した実施の形態では、カメラ１００において、使用可能な複数のバッテリーに関する情報をモニタ１０７に表示する例について説明した。しかしながら、本発明は、複数のバッテリーを搭載可能であり、かつ表示装置としてのモニタを搭載している他の電子機器にも適用可能である。例えば、バッテリーで駆動するノートパソコンやビデオカメラなどに適用することもできる。
【００４８】
なお、本発明の特徴的な機能を損なわない限り、本発明は、上述した実施の形態における構成に何ら限定されない。
【図面の簡単な説明】
【００４９】
【図１】カメラの一実施の形態の構成を示すブロック図である。
【図２】表示装置１０６への電池残量に関する情報の表示例を示す第１の図である。
【図３】表示装置１０６への電池残量に関する情報の表示例を示す第２の図である。
【図４】カメラの処理を示すフローチャート図である。
【符号の説明】
【００５０】
１００  カメラ、１０１  操作部材、１０２  レンズ、１０３  撮像素子、１０４  制御装置、１０４ａ  電池情報取得部、１０４ｂ  電池情報表示部、１０５  メモリカードスロット、１０６  モニタ、１０７  電池ボックス、１０７ａ  電池、１０８ａ  バッテリーパック、１０７ａ−１、１０８ａ−１  ＣＰＵ、１０７ａ−２、１０８ａ−２  バッテリー
【図１】
2009038612.tif 000003
【図２】
2009038612.tif 000004
【図３】
2009038612.tif 000005
【図４】
2009038612.tif 000006